(57)【要約】      （修正有）【課題】休憩や寝るときに、ペットが更に快適となり、ペットの睡眠の質を向上することが可能なペット用空気調和ベッドを提供する。【解決手段】ペット用空気調和ベッドは、その上面に壁面１０が少なくとも一つ設けられており、第１の収容空間１１と第２の収容空間１２とが形成され、その上方に空気通路区域が少なくとも一つ設けられており、空気通路区域は第２の収容空間に位置し、第１の収容空間は、第２の収容空間に位置する空気通路区域と連通するベース１と、ベースの第２の収容空間の上方に脱着可能に設けられており、空気通路区域をカバーし、第２の収容空間が休憩エリア２１に形成される熱伝導ユニット２と、ベースの第１の収容空間に脱着可能に設けられており、空気調和ホスト３からの気流は、ベースの空気通路区域に流れ込み、分布状態が均一となり、熱伝導ユニットが空気通路区域の冷たい空気と接触する空気調和ホストと、を備える。【選択図】図１
0003229590.tif 000002
【実用新案登録請求の範囲】
【請求項１】
ベースであって、当該ベースの上面に壁面が少なくとも一つ設けられており、第１の収容空間と第２の収容空間とが形成され、当該ベースの上方に空気通路区域が少なくとも一つ設けられており、前記空気通路区域は前記第２の収容空間に位置し、前記第１の収容空間は、前記第２の収容空間に位置する前記空気通路区域と連通するベースと、
前記ベースの前記第２の収容空間の上方に脱着可能に設けられており、前記空気通路区域をカバーし、前記第２の収容空間が休憩エリアに形成される熱伝導ユニットと、
前記ベースの前記第１の収容空間に脱着可能に設けられており、空気調和ホストからの気流は、前記ベースの前記空気通路区域に流れ込み、分布状態が均一となり、前記熱伝導ユニットが前記空気通路区域の冷たい空気と接触することにより、温度を降下する効果を得ることができる空気調和ホストと、
を備えることを特徴とするペット用空気調和ベッド。
【請求項２】
前記空気通路区域の一端に空気吸込み口が少なくとも一つ設けられており、前記空気調和ホストからの気流は、それぞれ前記空気通路区域に進入してループ流動状態を形成し、前記空気通路区域の他端に還気口が少なくとも一つ設けられており、前記空気通路区域内の気流はそれぞれ排出されることを特徴とする、請求項１に記載のペット用空気調和ベッド。
【請求項３】
前記空気通路区域の一端に空気吸込み口が少なくとも一つ設けられており、前記空気調和ホストからの気流は、それぞれ前記空気通路区域に進入して流れて排出されることを特徴とする、請求項１に記載のペット用空気調和ベッド。
【請求項４】
更に、少なくとも一つの検知ユニットを備え、前記検知ユニットは、前記空気調和ホストの何れかの位置、又は前記ベースの何れかの位置に設けられており、前記空気調和ホストと連結し、前記ベースの前記第２の収容空間に、物体の移動や物体の重量による負荷の有無を検知するためのものであることを特徴とする、請求項１に記載のペット用空気調和ベッド。
【請求項５】
前記検知ユニットと前記空気調和ホストとは、有線伝送または無線伝送の何れか一つで互いに通信することを特徴とする、請求項４に記載のペット用空気調和ベッド。
【請求項６】
更に、キャリアを備え、前記キャリアは、前記ベースと前記熱伝導ユニットとの間に設けられており、前記キャリアと前記熱伝導ユニットとは、組合せ式または一体成形の何れか一つを採用し、前記キャリアには、その底面に形成されている空気通路区域が複数設けられており、前記キャリアの前記各空気通路区域は、前記ベースの前記各空気通路区域に対応することを特徴とする、請求項１に記載のペット用空気調和ベッド。
【請求項７】
前記キャリアには、その上面に形成されている収容空間と、複数の穿孔とが設けられており、前記収容空間に前記熱伝導ユニットが設けられており、前記複数の穿孔は、前記収容空間の上面に形成されており、距離を置いて配列されており、前記収容空間の底面まで貫通することを特徴とする、請求項６に記載のペット用空気調和ベッド。
【請求項８】
前記キャリアに吹き出し口が複数設けられており、前記複数の吹き出し口は、前記キャリアのエッジと前記収容空間との間の何れかの位置に分布されていることを特徴とする、請求項６に記載のペット用空気調和ベッド。
【考案の詳細な説明】
【技術分野】
【０００１】
本考案は、ペット用品の技術分野に関し、特に、休憩や寝るときに、ペットが更に快適となり、ペットの睡眠の質を向上することが可能なペット用空気調和ベッドに関するものである。
【背景技術】
【０００２】
従来、ペットを飼う際に、飼主は床面にマットを置いて、ペットはマット上で休憩や寝ることができ、保温することができると共に、ペットの睡眠の質を向上することが可能である。
【０００３】
しかしながら、ペット用のベッドは、マットが設けられているが、構造が簡単すぎ、温度制御システムが設けられておらず、寒い季節や熱い季節の際に、ペットは快適ではないという問題があった。
【考案の概要】
【考案が解決しようとする課題】
【０００４】
本考案の主な目的は、休憩や寝るときに、ペットが更に快適となり、ペットの睡眠の質を向上することが可能なペット用空気調和ベッドを提供することにある。
【課題を解決するための手段】
【０００５】
本考案に係るペット用空気調和ベッドによると、その上面に壁面が少なくとも一つ設けられており、第１の収容空間と第２の収容空間とが形成され、その上方に空気通路区域が少なくとも一つ設けられており、空気通路区域は第２の収容空間に位置し、第１の収容空間は、第２の収容空間に位置する空気通路区域と連通するベースと、ベースの第２の収容空間の上方に脱着可能に設けられており、空気通路区域をカバーし、第２の収容空間が休憩エリアに形成される熱伝導ユニットと、ベースの第１の収容空間に脱着可能に設けられており、空気調和ホストからの気流は、ベースの空気通路区域に流れ込み、分布状態が均一となり、熱伝導ユニットが空気通路区域の冷たい空気と接触することにより、温度を降下する効果を得ることができる空気調和ホストと、を備えることを特徴とする。
【０００６】
本考案に係るペット用空気調和ベッドによると、空気通路区域の一端に空気吸込み口が少なくとも一つ設けられており、空気調和ホストからの気流は、それぞれ空気通路区域に進入してループ流動状態を形成し、空気通路区域の他端に還気口が少なくとも一つ設けられており、空気通路区域内の気流はそれぞれ排出されることを特徴とする。
【０００７】
本考案に係るペット用空気調和ベッドによると、空気通路区域の一端に空気吸込み口が少なくとも一つ設けられており、空気調和ホストからの気流は、それぞれ空気通路区域に進入して流れて排出されることを特徴とする。
【０００８】
本考案に係るペット用空気調和ベッドによると、更に、少なくとも一つの検知ユニットを備え、検知ユニットは、空気調和ホストの何れかの位置に設けられており、又はベースの何れかの位置に設けられており、空気調和ホストと連結し、ベースの第２の収容空間に、物体の移動や物体の重量による負荷の有無を検知するためのものであることを特徴とする。
【０００９】
本考案に係るペット用空気調和ベッドによると、検知ユニットと空気調和ホストとは、有線伝送または無線伝送の何れか一つで互いに通信することを特徴とする。
【００１０】
本考案に係るペット用空気調和ベッドによると、更に、キャリアを備え、キャリアは、ベースと熱伝導ユニットとの間に設けられており、キャリアと熱伝導ユニットとは、組合せ式または一体成形の何れか一つを採用し、キャリアには、その底面に形成されている空気通路区域が複数設けられており、キャリアの各空気通路区域は、ベースの各空気通路区域に対応することを特徴とする。
【００１１】
本考案に係るペット用空気調和ベッドによると、キャリアには、その上面に形成されている収容空間と、複数の穿孔とが設けられており、収容空間に熱伝導ユニットが設けられており、複数の穿孔は、収容空間の上面に形成されており、距離を置いて配列されており、収容空間の底面まで貫通することを特徴とする。
【００１２】
本考案に係るペット用空気調和ベッドによると、キャリアに吹き出し口が複数設けられており、複数の吹き出し口は、キャリアのエッジと収容空間との間の何れかの位置に分布されていることを特徴とする。
【考案の効果】
【００１３】
本考案に係るペット用空気調和ベッドによれば、次のような効果がある。
（１）検知ユニットは、ベースの第２の収容空間の休憩エリア内に位置する物体が移動し、又は物体の重量による負荷があると検知すると、空気調和ホストに命令を伝送して駆動させて気流を発生し、気流がベースの各空気通路区域に流れ込む。ベースの各空気通路区域により、空気調和ホストからの気流は、各空気吸込み口を経由して各空気通路区域に流れ込んで、各区域に流れる。これにより、気流はペット用空気調和ベッドの各隅に均一に分布され、各区域の温度が一致し、各空気通路区域内にループ流動状態が形成される。熱伝導ユニットが気流と接触することにより、温度を降下する効果を得ることが可能となる。
【００１４】
（２）内部ループの流動を行うため、吸い戻される気流は、冷たい空気であり、外部の熱い空気ではない。このため、熱交換の効率が向上し、温度を降下する時間を大幅に減少することができる。また、冷たい空気を持続的に吸い込むため、熱交換の効率が向上し、吹き出される冷たい空気の温度が更に降下することにより、システムの消費電力を減少することができ、省エネの効率を増加することができる。
【００１５】
（３）逆に、検知ユニットは、第２の収容空間の休憩エリア内に位置する物体が移動せず、又は休憩エリア内に物体が存在しないと検知した場合には、空気調和ホストに命令を伝送し、空気調和ホストが命令を受けると、駆動を停止する。これにより、休憩や寝るときに、ペットが更に快適となり、ペットの睡眠の質を向上することが可能である。
【図面の簡単な説明】
【００１６】
【図１】本考案の第１の実施の形態に係るペット用空気調和ベッドを示す斜視図である。
【図２】本考案に係るペット用空気調和ベッドのベース、熱伝導ユニット及びマイクロ空気調和ホストを示す分解斜視図である。
【図３】本考案に係るペット用空気調和ベッドのベースを示す上面図である。
【図４】本考案に係るペット用空気調和ベッドのキャリアを示す下面図である。
【図５】本考案に係るペット用空気調和ベッドのキャリアの別の構造を示す斜視図である。
【図６】本考案に係るペット用空気調和ベッドの使用状態を示す図である。
【図７】本考案の第１の実施の形態に係るペット用空気調和ベッドの気流ループを示す図である。
【図８】本考案の第２の実施の形態に係るペット用空気調和ベッドの気流ループを示す図である。
【図９】本考案に係るペット用空気調和ベッドのベースの別の構造を示す斜視図である。
【図１０】本考案に係るペット用空気調和ベッドのキャリアの別の構造を示す上面図である。
【図１１】本考案の第３の実施の形態に係るペット用空気調和ベッドの気流ループを示す図である。
【考案を実施するための形態】
【００１７】
以下、本考案の実施の形態を図面に基づいて説明する。
【００１８】
（第１の実施の形態）
まず、図１から図７を参照する。図１から図７は、本考案の第１の実施の形態に係るペット用空気調和ベッドの構造を説明する図である。本実施の形態に係るペット用空気調和ベッドは、ベース１と、熱伝導ユニット２と、マイクロ空気調和ホスト３と、を備える。
【００１９】
ベース１は、矩形、円形、又はその他の形状であり、その形状がこれに限定されない。ベース１の上面に壁面１０が少なくとも一つ設けられており、第１の収容空間１１と第２の収容空間１２とが形成される。ベース１の上方には、第２の収容空間１２に位置する空気通路区域１３が少なくとも一つ設けられている。第１の収容空間１１は、第２の収容空間１２に位置する空気通路区域１３と連通する。ベース１は、市販されているものの各種類の構造を採用してもいいが、本考案はこれに限定されない。
【００２０】
熱伝導ユニット２は、ベース１の第２の収容空間１２の上方に脱着可能に設けられており、空気通路区域１３をカバーする。これにより、第２の収容空間１２に休憩エリア２１が形成される。熱伝導ユニット２は、熱伝導板、熱伝導マット、又は通気布などである。
【００２１】
マイクロ空気調和ホスト３は、ベース１の第１の収容空間１１に脱着可能に設けられている。マイクロ空気調和ホスト３からの気流は、ベース１の空気通路区域１３に流れ込み、分布状態が均一である。熱伝導ユニット２が空気通路区域１３の冷たい空気と接触することにより、温度を降下する効果を得ることができる。ベース１の第１の収容空間１１の形状は、マイクロ空気調和ホスト３の全体の輪郭に合う。また、マイクロ空気調和ホスト３は、市販されている製品を採用してもいいが、本考案はこれに限定されない。
【００２２】
ベース１は、組合せ式の構造の形態、又は一体式の構造の形態を採用する。ベース１全体がどのような形態を採用するかにかかわらず、第２の収容空間１２に位置する各空気通路区域１３がセグメンテーション状態にある場合には、これらの空気通路区域１３の一端に空気吸込み口１３１が少なくとも一つ設けられており、各空気吸込み口１３１により、マイクロ空気調和ホスト３からの気流は、それぞれ各空気通路区域１３に流れ込んで、ループ流動状態を形成する。なお、これらの空気通路区域１３の他端に還気口１３２が少なくとも一つ設けられている。各還気口１３２により、各空気通路区域１３内の気流がそれぞれ排出される。特に、各空気通路区域１３の形状は、Ｕ字形、コ字形またはその他の形状を呈する。本実施の形態では、各空気通路区域１３はＵ字形を呈する。ベース１の各空気通路区域１３は、市販しているものの構造の形態を採用してもよいが、本考案はこれに限定されない。
【００２３】
ペット用空気調和ベッドは、更に、少なくとも一つの検知ユニット４を備える。検知ユニット４は、マイクロ空気調和ホスト３の何れかの位置、又はベース１の何れかの位置に設けられている。本考案に係る検知ユニット４は、マイクロ空気調和ホスト３に設けられており、マイクロ空気調和ホスト３と連結する。検知ユニット４は、ベース１の第２の収容空間１２に、物体の移動や存在の有無の状況を検知する。検知ユニット４がマイクロ空気調和ホスト３に設けられている場合には、ベース１の壁面１０に開口１０１を設けることが必要である。開口１０１の位置は、検知ユニット４の位置に対応することが必要である。
【００２４】
検知ユニット４とマイクロ空気調和ホスト３とは、有線伝送および無線伝送のうちの一つの伝送方式で互いに直接に通信する。検知ユニット４とマイクロ空気調和ホスト３とは無線伝送で通信する場合には、その伝送インターフェースは、Ｗｉ-Ｆｉモジュール、ブルートゥース(登録商標)モジュール、無線周波数識別モジュール、又はその他の伝送モジュールを採用する。また、検知ユニット４は、赤外線検出器、異物検出器、超音波検出器、音響検出器、レーザー検出器、又はその他の検出器を採用する。
【００２５】
ペット用空気調和ベッドは、更に、キャリア５を備える。キャリア５は、ベース１と熱伝導ユニット２との間に設けられている。キャリア５と熱伝導ユニット２とは、図２に示す組合せ式、又は図５に示す一体成形を採用する。キャリア５の形態にかかわらず、熱伝導ユニット２が、組合せ式であり、キャリア５の収容空間５２に設けられている場合には、熱伝導ユニット２の全体の形状がキャリア５の収容空間５２に合うように設計される。キャリア５とベース１とは、互いに当接して係止する。なお、キャリア５は、組合せ式の構造の形態、又は一体成形の構造の形態を採用する。また、キャリア５全体の形態にかかわらず、キャリア５に空気通路区域５１が複数設けられている。空気通路区域５１はキャリア５の底面に形成されている。キャリア５の各空気通路区域５１は、ベース１の各空気通路区域１３にそれぞれ対応する。このため、キャリア５の各空気通路区域５１がセグメンテーション状態にある場合には、各空気通路区域５１の一端に空気吸込み口５１１が少なくとも一つ設けられており、各空気通路区域５１の他端に還気口５１２が少なくとも一つ設けられている。特に、各空気通路区域５１の形状は、Ｕ字形、コ字形、又はその他の形状を呈する。本実施の形態では、各空気通路区域５１がＵ字形を呈する。
【００２６】
また、キャリア５には、更に、収容空間５２と、複数の穿孔５３とが設けられている。収容空間５２はキャリア５の上面に形成されている。複数の穿孔５３は、収容空間５２の上面に形成されており、距離を置いて配列され、収容空間５２の底面まで貫通する。穿孔５３の形状は、正方形、矩形、円形、又はその他の形状を呈するが、本考案はこれに限定されない。
【００２７】
次に、本実施の形態の使用状態を説明する。検知ユニット４が、第２の収容空間１２に位置する休憩エリア２１内に、物体（ペット）の移動を検知すると、マイクロ空気調和ホスト３に命令を伝送し、マイクロ空気調和ホスト３が命令を受けた後、マイクロ空気調和ホスト３が駆動されて気流を発生し、当該気流はベース１の各空気通路区域１３に流れ込む。ベース１の各空気通路区域１３がセグメンテーション状態にある場合に、マイクロ空気調和ホスト３からの気流（実線矢印、白抜き矢印）は、各空気吸込み口１３１を経由して、各空気通路区域１３に流れ込んで、各区域に送られる。これにより、当該気流（実線矢印、白抜き矢印）は、ペット用空気調和ベッドの各隅に均一に分布することができ、各区域の温度が一致であり、そして各空気通路区域１３内にループ流動状態が形成されて、還気口１３２を経由して排出される。ベース１の上面にキャリア５と熱伝導ユニット２とが設けられており、これらの空気通路区域１３をカバーするため、各空気通路区域１３の気流（実線矢印、白抜き矢印）もキャリア５の各穿孔５３へ流れ込み、熱伝導ユニット２が気流と接触することにより、温度を降下する効果を得ることができる。内部ループ流動であるため、吸い込まれる気流は、冷たい空気であり、外部の熱い空気ではないため、熱交換の効率が向上し、温度を降下するまでの時間を大幅に短縮することができる。また、冷たい空気を持続的に吸い込むため、熱交換の効率が向上し、吹き出される気流の温度が更に低くなり、システムの消費電力を減少することができ、省エネの効率を向上することが可能である。逆に、検知ユニット４が、第２の収容空間１２に位置する休憩エリア２１内に、物体（ペット）の移動がないと検知すると、マイクロ空気調和ホスト３に命令を伝送し、マイクロ空気調和ホスト３が命令を受けた後、マイクロ空気調和ホスト３の駆動を停止する。
【００２８】
或いは、検知ユニット４が、第２の収容空間１２に位置する休憩エリア２１内に、物体（ペット）の重量による負荷があると検知すると、マイクロ空気調和ホスト３に命令を伝送し、マイクロ空気調和ホスト３が命令を受けた後、マイクロ空気調和ホスト３を駆動して気流を発生し、当該気流がベース１の各空気通路区域１３に流れ込む。ベース１の各空気通路区域１３がセグメンテーション状態にある場合に、マイクロ空気調和ホスト３からの気流（実線矢印、白抜き矢印）は、各空気吸込み口１３１を経由して、各空気通路区域１３に流れ込んで、各区域に送られる。これにより、気流（実線矢印、白抜き矢印）は、ペット用空気調和ベッドの各隅に均一に分布することができ、各区域の温度が一致であり、そして各空気通路区域１３内にループ流動状態が形成されて、還気口１３２を経由して排出される。ベース１の上面にキャリア５と熱伝導ユニット２とが設けられており、これらの空気通路区域１３をカバーするため、各空気通路区域１３の気流（実線矢印、白抜き矢印）もキャリア５の各穿孔５３へ流れ込んで、熱伝導ユニット２が気流と接触することにより、温度を降下する効果を得ることができる。内部ループ流動であるため、吸い込まれる気流は、冷たい空気であり、外部の熱い空気ではないため、熱交換の効率が向上し、温度を降下する時間を大幅に短縮することができる。また、冷たい空気を持続的に吸い込むため、熱交換の効率が向上し、吹き出される気流の温度が更に低くなり、システムの消費電力を減少することができ、省エネの効率を向上することが可能である。逆に、検知ユニット４が、第２の収容空間１２に位置する休憩エリア２１内に、物体の重量による負荷がないと検知すると、マイクロ空気調和ホスト３に命令を伝送し、マイクロ空気調和ホスト３が命令を受けた後、マイクロ空気調和ホスト３の駆動を停止する。特に、必要によって、ユーザーはキャリア５を取り除いてもよい。
【００２９】
このように、冷たい空気の流れは、設計された空気通路区域１３により、ペット用空気調和ベッドの各区域に均一に送られて、温度分布が均一になる。これにより、休憩や寝るときに、ペットが更に快適となり、ペットの睡眠の質を向上することが可能である。
【００３０】
（第２の実施の形態）
次に、図８及び図２から図６を参照して、本実施の形態に係るペット用空気調和ベッドの構造を説明する。本実施の形態に係るペット用空気調和ベッドは、ベース１と、熱伝導ユニット２と、マイクロ空気調和ホスト３と、を備える。ベース１、熱伝導ユニット２及びマイクロ空気調和ホスト３の構造は、上記の実施の形態の構造と同じなため、説明を省略した。本実施の形態に係るペット用空気調和ベッドの構造は、キャリア５に吹き出し口５４が複数設けられており、これらの吹き出し口５４がキャリア５のエッジと収容空間５２との間の何れかの位置に分布される。本実施の形態では、これらの吹き出し口５４がキャリア５のエッジと収容空間５２との間の両側に形成されている。
【００３１】
次に、本実施の形態の使用状態を説明する。検知ユニット４が、第２の収容空間１２に位置する休憩エリア２１内に、物体（ペット）の移動を検知すると、マイクロ空気調和ホスト３に命令を伝送し、マイクロ空気調和ホスト３が命令を受けた後、マイクロ空気調和ホスト３を駆動して気流を発生し、当該気流がベース１の各空気通路区域１３に流れ込む。ベース１の各空気通路区域１３がセグメンテーション状態にある場合に、マイクロ空気調和ホスト３からの気流（実線矢印、白抜き矢印）は、各空気吸込み口１３１を経由して、各空気通路区域１３に流れ込んで、各区域に送られる。これにより、気流（実線矢印、白抜き矢印）は、ペット用空気調和ベッドの各隅へ均一に送られて、各区域の温度が一致し、そして各空気通路区域１３内にループ流動状態が形成されて、還気口１３２を経由して排出される。ベース１の上面にキャリア５と熱伝導ユニット２とが設けられており、これらの空気通路区域１３をカバーするため、各空気通路区域１３の気流（実線矢印、白抜き矢印）もキャリア５の各穿孔５３へ流れ込む。熱伝導ユニット２が気流と接触することにより、温度を降下する効果を得ることができる。内部ループ流動なため、吸い込まれる気流は、冷たい空気であり、外部の熱い空気ではないため、熱交換の効率が向上し、温度を降下する時間が大幅に短縮する。また、冷たい空気を持続的に吸い込むため、熱交換の効率が向上し、吹き出される冷たい空気の温度が更に降下し、システムの消費電力を減少することができ、省エネの効果を得ることができる。そして、キャリア５の両側に複数の吹き出し口５４がそれぞれ設けられていることにより、これらの空気通路区域１３内の気流（実線矢印、白抜き矢印）は、これらの吹き出し口５４へ流れて、ペット用空気調和ベッドの外部に排出される。これにより、一部の冷たい空気はペットに送られ、ペットは、ペット用空気調和ベッドによる涼しさを感じると共に、吹き出される冷たい空気が徐々にペットへ送られるため、涼感が更に向上する。逆に、検知ユニット４が、第２の収容空間１２に位置する休憩エリア２１内に、物体（ペット）の移動がないと検知すると、マイクロ空気調和ホスト３に命令を伝送し、マイクロ空気調和ホスト３が命令を受けた後、マイクロ空気調和ホスト３の駆動を停止する。
【００３２】
或いは、検知ユニット４が、第２の収容空間１２に位置する休憩エリア２１内に、物体（ペット）の重量による負荷があると検知すると、マイクロ空気調和ホスト３に命令を伝送し、マイクロ空気調和ホスト３が命令を受けた後、マイクロ空気調和ホスト３を駆動して気流を発生し、当該気流はベース１の各空気通路区域１３に流れ込む。ベース１の各空気通路区域１３がセグメンテーション状態にある場合に、マイクロ空気調和ホスト３からの気流（実線矢印、白抜き矢印）は、各空気吸込み口１３１を経由して、各空気通路区域１３に流れ込んで、各区域に送られる。これにより、気流（実線矢印、白抜き矢印）は、ペット用空気調和ベッドの各隅へ均一に送られ、各区域の温度が一致し、そして各空気通路区域１３内にループ流動状態が形成されて、還気口１３２を経由して排出される。ベース１の上面にキャリア５と熱伝導ユニット２とが設けられており、これらの空気通路区域１３をカバーするため、各空気通路区域１３の気流（実線矢印、白抜き矢印）もキャリア５の各穿孔５３へ流れ込んで、熱伝導ユニット２は気流と接触することにより、温度を降下する効果を得ることができる。内部ループ流動なため、吸い込まれる気流は、冷たい空気であり、外部の熱い空気ではないため、熱交換の効率が向上し、温度を降下する時間が大幅に短縮される。また、冷たい空気を持続的に吸い込むため、熱交換の効率が向上し、吹き出される冷たい空気の温度を更に降下することができ、システムの消費電力を減少することができ、省エネの効果を得ることができる。そして、キャリア５の両側に複数の吹き出し口５４がそれぞれ設けられているため、これらの空気通路区域１３内の気流（実線矢印、白抜き矢印）は、これらの吹き出し口５４へ流れて、ペット用空気調和ベッドの外部に排出される。これにより、一部の冷たい空気はペットに送られ、ペットは、ペット用空気調和ベッドによる涼しさを感じると共に、吹き出される冷たい空気が徐々にペットへ送られるため、涼感が更に向上する。逆に、検知ユニット４が、第２の収容空間１２に位置する休憩エリア２１内に、物体（ペット）の重量による負荷がないと検知すると、マイクロ空気調和ホスト３に命令を伝送し、マイクロ空気調和ホスト３が命令を受けた後、マイクロ空気調和ホスト３の駆動を停止する。
【００３３】
（第３の実施の形態）
次に、図９から図１１及び図２から図６を参照しながら、本実施の形態に係るペット用空気調和ベッドの構造を説明する。本実施の形態に係るペット用空気調和ベッドは、ベース１と、熱伝導ユニット２と、マイクロ空気調和ホスト３と、を備える。
【００３４】
ベース１は、矩形、円形、又はその他の形状であり、その形状がこれに限定されない。ベース１の上面に壁面１０が少なくとも一つ設けられており、第１の収容空間１１と第２の収容空間１２とが形成される。ベース１の上方には、第２の収容空間１２に位置する空気通路区域１３が少なくとも一つ設けられている。第１の収容空間１１は、第２の収容空間１２に位置する空気通路区域１３と連通する。ベース１は、市販されているものの各種類の構造を採用してもいいが、本考案はこれに限定されない。
【００３５】
熱伝導ユニット２は、ベース１の第２の収容空間１２の上方に脱着可能に設けられており、空気通路区域１３をカバーする。これにより、第２の収容空間１２に休憩エリア２１が形成される。熱伝導ユニット２は、熱伝導板、熱伝導マット、又は通気布などである。
【００３６】
マイクロ空気調和ホスト３は、ベース１の第１の収容空間１１に脱着可能に設けられている。マイクロ空気調和ホスト３からの気流は、ベース１の空気通路区域１３に流れ込み、分布状態が均一である。熱伝導ユニット２が空気通路区域１３の冷たい空気と接触することにより、温度を降下する効果を得ることができる。ベース１の第１の収容空間１１の形状は、マイクロ空気調和ホスト３の全体の輪郭に合う。また、マイクロ空気調和ホスト３は、市販されている製品を採用してもいいが、本考案はこれに限定されない。
【００３７】
ベース１は、組合せ式の構造の形態、又は一体式の構造の形態を採用する。ベース１全体がどのような形態を採用するかにかかわらず、第２の収容空間１２に位置する各空気通路区域１３がセグメンテーション状態にある場合には、これらの空気通路区域１３の一端に空気吸込み口１３１が少なくとも一つ設けられており、各空気吸込み口１３１により、マイクロ空気調和ホスト３からの気流は、それぞれ各空気通路区域１３に流れ込んで排出される。特に、本実施の形態の構造におけるベース１は、第１の実施の形態の構造におけるベース１の還気口１３２を有しないため、本実施の形態の構造におけるベース１の空気通路区域１３は、内部ループ形態を形成されていない。
【００３８】
ペット用空気調和ベッドは、更に、少なくとも一つの検知ユニット４を備える。検知ユニット４は、マイクロ空気調和ホスト３の何れかの位置、又はベース１の何れかの位置に設けられている。本考案に係る検知ユニット４は、マイクロ空気調和ホスト３と連結する。検知ユニット４は、ベース１の第２の収容空間１２に、物体の移動や存在の有無の状況を検知する。検知ユニット４がマイクロ空気調和ホスト３に設けられている場合には、ベース１の壁面１０に開口１０１を設けることが必要である。開口１０１の位置は、検知ユニット４の位置に対応することが必要である。
【００３９】
検知ユニット４とマイクロ空気調和ホスト３とは、有線伝送および無線伝送のうちの一つの伝送方式で互いに直接に通信する。検知ユニット４とマイクロ空気調和ホスト３とは無線伝送で通信する場合には、その伝送インターフェースは、Ｗｉ-Ｆｉモジュール、ブルートゥース(登録商標)モジュール、無線周波数識別モジュール、又はその他の伝送モジュールを採用する。また、検知ユニット４は、赤外線検出器、異物検出器、超音波検出器、音響検出器、レーザー検出器、又はその他の検出器を採用する。
【００４０】
ペット用空気調和ベッドは、更に、キャリア５を備える。キャリア５は、ベース１と熱伝導ユニット２との間に設けられている。キャリア５と熱伝導ユニット２とは、図２に示す組合せ式（ように）、又は図５に示す一体成形を採用する。キャリア５の形態にかかわらず、熱伝導ユニット２が、組合せ式であり、キャリア５の収容空間５２に設けられている場合には、熱伝導ユニット２の全体の形状がキャリア５の収容空間５２に合うように設計される。キャリア５とベース１とは、互いに当接して係止する。なお、キャリア５は、組合せ式の構造の形態、又は一体成形の構造の形態を採用する。また、キャリア５全体の形態にかかわらず、キャリア５に空気通路区域５１が複数設けられている。空気通路区域５１はキャリア５の底面に形成されている。キャリア５の各空気通路区域５１は、ベース１の各空気通路区域１３にそれぞれ対応する。このため、キャリア５の各空気通路区域５１がセグメンテーション状態にあることではない場合には、各空気通路区域５１の一端に空気吸込み口５１１が少なくとも一つ設けられている。特に、本実施の形態の構造におけるキャリア５は、第１の実施の形態の構造におけるキャリア５の還気口５１２を有しないため、第３の実施の形態の構造におけるキャリア５の空気通路区域５１は、内部ループ形態を形成することはない。
【００４１】
また、キャリア５には、更に、収容空間５２と、複数の穿孔５３とが設けられている。収容空間５２はキャリア５の上面に形成されている。複数の穿孔５３は、収容空間５２の上面に形成されており、距離を置いて配列され、収容空間５２の底面まで貫通する。穿孔５３の形状は、正方形、矩形、円形、又はその他の形状を呈するが、本考案はこれに限定されない。
【００４２】
本実施の形態では、キャリア５に吹き出し口５４が複数設けられており、これらの吹き出し口５４がキャリア５のエッジと収容空間５２との間の何れかの位置に分布される。本実施の形態では、これらの吹き出し口５４がキャリア５のエッジと収容空間５２との間の一端に形成されている。
【００４３】
次に、本実施の形態の使用状態を説明する。検知ユニット４が、第２の収容空間１２に位置する休憩エリア２１内に、物体（ペット）の移動を検知すると、マイクロ空気調和ホスト３に命令を伝送し、マイクロ空気調和ホスト３が命令を受けた後、マイクロ空気調和ホスト３が駆動されて気流を発生し、当該気流はベース１の各空気通路区域１３に流れ込む。ベース１の各空気通路区域１３がセグメンテーション状態にあることではない場合に、マイクロ空気調和ホスト３からの気流（実線矢印、白抜き矢印）は、各空気吸込み口１３１を経由して、各空気通路区域１３に流れ込んで、各区域に送られる。これにより、当該気流（実線矢印、白抜き矢印）は、ペット用空気調和ベッドの各隅に均一に分布することができ、各区域の温度が一致である。ベース１の上面にキャリア５と熱伝導ユニット２とが設けられており、これらの空気通路区域１３をカバーするため、各空気通路区域１３の気流（実線矢印、白抜き矢印）もキャリア５の各穿孔５３へ流れ込み、熱伝導ユニット２が気流と接触することにより、温度を降下する効果を得ることができる。そして、キャリア５の一端に吹き出し口５４が複数設けられていることにより、気流（実線矢印、白抜き矢印）は、これらの空気通路区域１３を経由して、ペット用空気調和ベッドの各区域へ送られた後、全ての気流（実線矢印、白抜き矢印）は、各空気通路区域１３を経由して、キャリア５の一端にある各吹き出し口５４に流れ込んで、ペット用空気調和ベッドの外部に排出されて、ペットへ送られる。温度降下システムが冷たい空気を吸い戻さないため、ペットの涼感が強化される。逆に、検知ユニット４が、第２の収容空間１２に位置する休憩エリア２１内に、物体（ペット）の移動がないと検知すると、マイクロ空気調和ホスト３に命令を伝送し、マイクロ空気調和ホスト３が命令を受けた後、マイクロ空気調和ホスト３の駆動を停止する。
【００４４】
或いは、検知ユニット４が、第２の収容空間１２に位置する休憩エリア２１内に、物体（ペット）の重量による負荷があると検知すると、マイクロ空気調和ホスト３に命令を伝送し、マイクロ空気調和ホスト３が命令を受けた後、マイクロ空気調和ホスト３を駆動して気流を発生し、当該気流はベース１の各空気通路区域１３に流れ込む。ベース１の各空気通路区域１３がセグメンテーション状態にあることではない場合に、マイクロ空気調和ホスト３からの気流（実線矢印、白抜き矢印）は、各空気吸込み口１３１を経由して、各空気通路区域１３に流れ込んで、各区域に送られる。これにより、気流（実線矢印、白抜き矢印）は、ペット用空気調和ベッドの各隅へ均一に送られ、各区域の温度が一致になる。ベース１の上面にキャリア５と熱伝導ユニット２とが設けられており、これらの空気通路区域１３をカバーするため、各空気通路区域１３の気流（実線矢印、白抜き矢印）もキャリア５の各穿孔５３へ流れ込んで、熱伝導ユニット２は気流と接触することにより、温度を降下する効果を得ることができる。そして、キャリア５の一端に吹き出し口５４が複数設けられていることにより、気流（実線矢印、白抜き矢印）は、これらの空気通路区域１３を経由して、ペット用空気調和ベッドの各区域へ送られた後、全ての気流（実線矢印、白抜き矢印）は、各空気通路区域１３を経由して、キャリア５の一端にある各吹き出し口５４に流れ込んで、ペット用空気調和ベッドの外部に排出されて、ペットへ送られる。温度降下システムが冷たい空気を吸い戻さないため、ペットの涼感が強化される。逆に、検知ユニット４が、第２の収容空間１２に位置する休憩エリア２１内に、物体（ペット）の重量による負荷がないと検知すると、マイクロ空気調和ホスト３に命令を伝送し、マイクロ空気調和ホスト３が命令を受けた後、マイクロ空気調和ホスト３の駆動を停止する。
【符号の説明】
【００４５】
１  ベース
２  熱伝導ユニット
３  マイクロ空気調和機
４  検知ユニット
５  キャリア
１０  壁面
１１  第１の収容空間
１２  第２の収容空間
１３  空気通路区域
２１  休憩エリア
５１  空気通路区域
５２  収容空間
５３  穿孔
５４  吹き出し口
１０１  開口
１３１  空気吸込み口
１３２  還気口
５１１  空気吸込み口
５１２  還気口
【図１】
0003229590.tif 000003
【図２】
0003229590.tif 000004
【図３】
0003229590.tif 000005
【図４】
0003229590.tif 000006
【図５】
0003229590.tif 000007
【図６】
0003229590.tif 000008
【図７】
0003229590.tif 000009
【図８】
0003229590.tif 000010
【図９】
0003229590.tif 000011
【図１０】
0003229590.tif 000012
【図１１】
0003229590.tif 000013
【手続補正書】
【提出日】令和2年9月24日(2020.9.24)
【手続補正１】
【補正対象書類名】実用新案登録請求の範囲
【補正対象項目名】全文
【補正方法】変更
【補正の内容】
【実用新案登録請求の範囲】
【請求項１】
ベースであって、当該ベースの上面に壁面が少なくとも一つ設けられており、第１の収容空間と第２の収容空間とが形成され、当該ベースの上方に空気通路区域が少なくとも一つ設けられており、前記空気通路区域は前記第２の収容空間に位置し、前記第１の収容空間は、前記第２の収容空間に位置する前記空気通路区域と連通するベースと、
前記ベースの前記第２の収容空間の上方に脱着可能に設けられており、前記空気通路区域をカバーし、前記第２の収容空間が休憩エリアに形成される熱伝導ユニットと、
前記ベースの前記第１の収容空間に脱着可能に設けられており、空気調和ホストからの気流は、前記ベースの前記空気通路区域に流れ込み、分布状態が均一となり、前記熱伝導ユニットが前記空気通路区域の冷たい空気と接触することにより、温度を降下する効果を得ることができる空気調和ホストと、
を備えることを特徴とするペット用空気調和ベッド。
【請求項２】
前記空気通路区域の一端に空気吸込み口が少なくとも一つ設けられており、前記空気調和ホストからの気流は、それぞれ前記空気通路区域に進入してループ流動状態を形成し、前記空気通路区域の他端に還気口が少なくとも一つ設けられており、前記空気通路区域内の気流はそれぞれ排出されることを特徴とする、請求項１に記載のペット用空気調和ベッド。
【請求項３】
前記空気通路区域の一端に空気吸込み口が少なくとも一つ設けられており、前記空気調和ホストからの気流は、それぞれ前記空気通路区域に進入して流れて排出されることを特徴とする、請求項１に記載のペット用空気調和ベッド。
【請求項４】
更に、少なくとも一つの検知ユニットを備え、前記検知ユニットは、前記空気調和ホストの何れかの位置、又は前記ベースの何れかの位置に設けられており、前記空気調和ホストと連結し、前記ベースの前記第２の収容空間に、物体の移動や物体の重量による負荷の有無を検知するためのものであることを特徴とする、請求項１に記載のペット用空気調和ベッド。
【請求項５】
前記検知ユニットと前記空気調和ホストとは、有線伝送または無線伝送の何れか一つで互いに通信することを特徴とする、請求項４に記載のペット用空気調和ベッド。
【請求項６】
更に、キャリアを備え、前記キャリアは、前記ベースと前記熱伝導ユニットとの間に設けられており、前記キャリアと前記熱伝導ユニットとは、組合せ式または一体成形の何れか一つを採用し、前記キャリアには、その底面に形成されている空気通路区域が複数設けられており、前記キャリアの前記各空気通路区域は、前記ベースの前記各空気通路区域に対応することを特徴とする、請求項１に記載のペット用空気調和ベッド。
【請求項７】
前記キャリアには、その上面に形成されている収容空間と、複数の穿孔とが設けられており、前記収容空間に前記熱伝導ユニットが設けられており、前記複数の穿孔は、前記収容空間の上面に形成されており、距離を置いて配列されており、前記収容空間の底面まで貫通することを特徴とする、請求項６に記載のペット用空気調和ベッド。
【請求項８】
前記キャリアに吹き出し口が複数設けられており、前記複数の吹き出し口は、前記キャリアのエッジと前記収容空間との間の何れかの位置に分布されていることを特徴とする、請求項７に記載のペット用空気調和ベッド。